【手続補正書】
【提出日】平成19年12月7日(2007.12.7)
【手続補正１】
【補正対象書類名】特許請求の範囲
【補正対象項目名】請求項１
【補正方法】変更
【補正の内容】
【請求項１】
Ｆ１）８９〜５０容量％の鉱物起源の燃料油および
Ｆ２）１１〜５０容量％の植物および／または動物起源の燃料油
および冷間添加物としての下記成分
A)    エチレンと８〜２１モル％の、Ｃ１〜Ｃ１８−アルキル基を持つ少なくとも１種類のアクリルエステルまたはビニルエステルとよりなる少なくとも１種類のコポリマーおよび
B)   以下の構造単位
B1)   モノマー１としての、オレフィン二重結合のところに少なくとも１つのＣ８〜Ｃ１８−アルキル基を持つ少なくとも１種類のオレフィン、および
B2)   モノマー２としての、エステル部分を介して結合した少なくとも１つのＣ８〜Ｃ１６−アルキル基を持つ少なくとも１種類のエチレン性不飽和ジカルボン酸
を含有する少なくとも１種類のくし形ポリマー
を含有し、その際に一方のモノマー１のアルキル基中の炭素鎖長分布のモル平均ともう一方のモノマー２のエステル基のアルキル基中の炭素鎖長分布のモル平均との合計Ｑ
【数１】
2005171260.tif 000001
［式中、Ｗ１がモノマー１のアルキル基中の個々の鎖長のモル割合であり、
Ｗ２     がモノマー２のエステル基中のアルキル基における個々の鎖長のモル割合であり、
ｎ１     がモノマー１のアルキル基中の個々の鎖長であり、
ｎ２     がモノマー２のエステル基のアルキル基における個々の鎖長であり、
ｉ がモノマー１のアルキル基における個々の鎖長のための連続変数でありそして
ｊ がモノマー２のエステル基中のアルキル基における個々の鎖長のための連続変数である。］
が２１．０〜２８．０であることを特徴とする、燃料油組成物Ｆ）。
【手続補正２】
【補正対象書類名】明細書
【補正対象項目名】００１０
【補正方法】変更
【補正の内容】
【００１０】
ヨーロッパ特許第０，６２９，２３１号明細書（Ｂ）には、植物または動物油またはそれら両者から誘導される脂肪酸のアルキルエステルで実質的に組成される比較的に多い割合の油を含み、以下の成分の内の１種以上の少ない割合の鉱油冷間流動性向上剤と混合されている組成物であって：
(I)  くし形ポリマー；無水マレイン酸またはフマル酸と他のエチレン性不飽和モノマーとの（エステル化されていてもよい）コポリマー、またはα−オレフィンのポリマーまたはコポリマー、またはフマレートまたはイタコナートポリマーまたはコポリマー、
(II)  ポリオキシアルキレンエステル、エステル／エーテルまたはそれらの混合物
(III)   エチレン／不飽和エステル−コポリマー
(IV)  極性の有機性窒素含有パラフィン結晶成長抑制剤、
(V)   炭化水素ポリマー
(VI) 硫黄−カルボキシル化合物および
(VII)炭化水素基で変性された芳香族系の流動点抑制剤、
そしてこの組成物が炭素原子数１〜２２のアルコールから誘導されているアクリル−および／またはメタクリル酸のポリマーエステルまたはコポリマーエステルの混合物を含有していないことを条件とする、上記組成物が開示されている。
【手続補正３】
【補正対象書類名】明細書
【補正対象項目名】００２１
【補正方法】変更
【補正の内容】
【００２１】
［式中、Ｗ１がモノマー１のアルキル基中の個々の鎖長のモル割合であり、
Ｗ２  がモノマー２のエステル基中のアルキル基における個々の鎖長のモル割合であり、
ｎ１  がモノマー１のアルキル基中の個々の鎖長であり、
ｎ２  がモノマー２のエステル基のアルキル基における個々の鎖長であり、
ｉ  がモノマー１のアルキル基における個々の鎖長のための連続変数でありそして
ｊ  がモノマー２のエステル基中のアルキル基における個々の鎖長のための連続変数で  ある。］
が２１．０〜２８．０であることを特徴とする、燃料油組成物Ｆ）に関する。
【手続補正４】
【補正対象書類名】明細書
【補正対象項目名】００２４
【補正方法】変更
【補正の内容】
【００２４】
有利な鉱物起源の油は中間留分である。動物起源および／または植物起源の燃料油（以下、生物燃料とも称する）と中間留分との混合比は８８〜６５容量％の中間留分と１２〜３５容量％の生物燃料であるのが有利である。本発明の添加物はこれらの混合物に優れた冷間特性を付与する。
【手続補正５】
【補正対象書類名】明細書
【補正対象項目名】００２５
【補正方法】変更
【補正の内容】
【００２５】
本発明の有利な実施態様においては、Ｑ仮定値は２２．０〜２７．０、特に２３．０〜２６．０、例えば２３、２４、２４．５、２５または２６である。
【手続補正６】
【補正対象書類名】明細書
【補正対象項目名】００３２
【補正方法】変更
【補正の内容】
【００３２】
高圧塊状重合は公知の耐圧反応器、例えばオートクレーブまたは管状反応器においてバッチ式でまたは連続的に実施されそして管状反応器が特に有用であることが実証されている。溶剤、例えば脂肪族および／または芳香族炭化水素または炭化水素混合物、ベンゼンまたはトルエンが反応混合物中に存在していてもよい。実質的に溶剤を使用しない方法が有利である。重合の有利な一つの実施態様においては、モノマー、開始剤、および使用する場合には分子量調整剤の混合物は反応器入口を通しておよび１つ以上の側部分岐を通して管状反応器に供給される。有利な分子量調整剤は例えば水素、飽和および不飽和炭化水素、例えばプロパンまたはプロペン、アルデヒド類、例えばプロピオンアルデヒド、ｎ−ブチルアルデヒドまたはイソブチルアルデヒド、ケトン類、例えばアセトン、メチルエチルケトン、メチルイソブチルケトン、シクロヘキサノンおよびアルコール類、例えばブタノールがある。コモノマーおよび分子量調整剤はエチレンと一緒にまたは側流によって別々に反応器に計量供給することができる。モノマー流は異なる組成を有していてもよい（ヨーロッパ特許出願公開第０，２７１，７３８号明細書およびヨーロッパ特許出願公開第０，９２２，７１６号明細書（Ａ））。
【手続補正７】
【補正対象書類名】明細書
【補正対象項目名】００４０
【補正方法】変更
【補正の内容】
【００４０】
本発明に従うコポリマーＢ）は５０〜２２０℃、好ましくは１００〜１９０℃、特に好ましくは１３０〜１７０℃の温度で製造するのが有利である。特に有利な製造方法は無溶剤での塊状重合であるが、非プロトン性溶剤、例えばベンゼン、トルエン、キシレンまたは好ましくは高沸点芳香族、脂肪族またはイソ脂肪族溶剤または溶剤混合物、例えば灯油またはソルベントナフサの存在下に重合を実施することも可能である。殆ど穏やかな影響も及ぼさない量の脂肪族またはイソ脂肪族溶剤中で重合するのが特に有利である。重合混合物中の溶剤の割合は一般に１０〜９０重量％、好ましくは３５〜６０重量％である。溶液重合の場合には、反応温度は溶剤の沸点によってまたは減圧または過剰圧のもとでの操作によって特に簡単に調整できる。  
【手続補正８】
【補正対象書類名】明細書
【補正対象項目名】００６６
【補正方法】変更
【補正の内容】
【００６６】
Ｃ１８〜Ｃ２４−脂肪酸、特にステアリン酸およびべヘン酸を使用するのが特に有利であるが、１２〜２６個の炭素原子を有する脂肪酸がポリオールと反応してエステル添加物を生成するのに有利に使用される。エステルはポリオキシアルキル化アルコールのエステル化によっても製造できる。完全にエステル化された１５０〜２，０００、特に２００〜１，５００の分子量を有するポリオキシアルキル化ポリオールが有利である。ＰＥＧ−６００ジベヘナートおよびグリセロール−エチレングリコールとトリベヘナートが特に適する。
【手続補正９】
【補正対象書類名】明細書
【補正対象項目名】００６９
【補正方法】変更
【補正の内容】
【００６９】
本発明の添加物とパラフィン分散剤、くし形ポリマー、アルキルフェノール縮合体、ポリオキシアルキレン誘導体およびオレフィンコポリマーとの混合比（重量部）はいずれの場合にも１：１０〜２０：１、好ましくは１：１〜１０：１、例えば１：１〜４：１である。